(57)【要約】【課題】本発明は、より便利に設定や機能の誘導を行って、ユーザの利便性を向上させた電子機器を提供する。【解決手段】アプリケーションプログラムにおける各々の設定または機能の使用頻度を逐次記憶する記憶手段と、設定または機能の使用頻度に基づいて、使用頻度が所定値以下である設定または機能を選出する選出手段（Ｓ１０５）と、選出された設定または機能についての説明を表示する表示手段（Ｓ１０７）と、を備えた。【選択図】  図５
2009232428.tif 000002
【特許請求の範囲】
【請求項１】
アプリケーションプログラムにおける各々の設定または機能の使用頻度を逐次記憶する記憶手段と、
前記記憶手段により記憶された設定または機能の使用頻度に基づいて、使用頻度が所定値以下である設定または機能を選出する選出手段と、
前記選出手段により選出された設定または機能についての説明を表示する表示手段と、
を備えたことを特徴とする電子機器。
【請求項２】
前記使用頻度は、累積使用時間または累積使用回数であることを特徴とする請求項１記載の電子機器。
【請求項３】
前記記憶手段は、前記アプリケーションプログラムの使用頻度を逐次記憶し、
前記選出手段は、前記アプリケーションプログラムの使用頻度が所定値以上であった場合に、使用頻度が所定値以下である設定または機能を選出することを特徴とする請求項１記載の電子機器。
【請求項４】
前記選出手段は、前記アプリケーションプログラムにおける所定の設定または機能の使用頻度が所定値以上であった場合に、使用頻度が所定値以下である設定または機能を選出することを特徴とする請求項１記載の電子機器。
【請求項５】
前記記憶手段は、前記アプリケーションプログラムにおける各々の設定の変更の有無を記憶し、
前記選出手段は、前記アプリケーションプログラムの設定の使用頻度が所定値以上であり、かつ変更がされていない場合、この設定を選出することを特徴とする請求項１記載の電子機器。
【請求項６】
前記記憶手段は、前記アプリケーションプログラムに関連がある他のアプリケーションプログラムにおける各々の機能の使用頻度を逐次記憶し、
前記選出手段は、前記他のアプリケーションプログラムにおける機能に、使用頻度が所定値以下である機能があった場合、この機能を選出することを特徴とする請求項１記載の電子機器。
【請求項７】
前記選出手段は、所定の設定を変更するための機能の使用頻度が所定値以上であって、かつこの所定の設定の使用頻度が所定値以下であった場合、この所定の設定を選出することを特徴とする請求項１記載の電子機器。
【請求項８】
前記記憶手段は、前記アプリケーションプログラムの第１の起動ルート及び第２の起動ルートの各々の使用頻度を逐次記憶し、
前記選出手段は、前記第１の起動ルートが前記第２の起動ルートよりも短く、かつ前記第１の起動ルートの使用頻度が所定値以下であった場合、この第１の起動ルートを選出し、
前記表示手段は、前記選出手段により選出された第１の起動ルートについての説明を表示することを特徴とする請求項１記載の電子機器。
【請求項９】
前記表示手段は、前記アプリケーションプログラムが起動されたタイミング、あるいは終了されたタイミングで、説明を表示することを特徴とする請求項１記載の電子機器。
【発明の詳細な説明】
【技術分野】
【０００１】
本発明は、アプリケーションプログラムにおける各々の設定や機能の使用状況に応じて、これらの設定や機能について説明する電子機器に関する。
【背景技術】
【０００２】
近年、携帯電話機等の電子機器の機能性が向上しているが、ユーザはそれらの機能の多くを使用しきれていない場合が多い。また、電子機器が有している様々な機能は、冊子として配布される取扱説明書や電子機器自体に内蔵されているヘルプ機能のような機能で紹介されていた。そのため、ユーザが認識していない機能をユーザに認識してもらうには、ユーザが自ら取扱説明書を読んだりヘルプ機能を呼び出したりする必要があった。
【０００３】
そこで、ユーザが取扱説明書をすべて読んだりする手間をかけることなく、ユーザが認識していない装置の機能をユーザに認識させ、携帯電話装置をより有効活用できる携帯電話装置が提案されている（特許文献１参照）。この携帯電話装置は、待ち受け画面に携帯電話装置の持つ機能に関する説明を表示する手段を備えたものである。
【特許文献１】特開２００６−２３７９４７号公報
【発明の開示】
【発明が解決しようとする課題】
【０００４】
電子機器が備えている設定や機能に関する説明を表示する場合、各々の機能の使用時間、各々の設定や機能の起動回数、電子機器自体の使用期間等に基づいてユーザの使用状況を把握し、この使用状況に基づいて、より便利に設定や機能の誘導を行うことが望ましい。
【０００５】
本発明は、上記課題を鑑みなされたものであり、より便利に設定や機能の誘導を行って、ユーザの利便性を向上させた電子機器を提供することを目的とする。
【課題を解決するための手段】
【０００６】
上記課題を解決するために、本発明に係る電子機器は、アプリケーションプログラムにおける各々の設定または機能の使用頻度を逐次記憶する記憶手段と、前記記憶手段により記憶された設定または機能の使用頻度に基づいて、使用頻度が所定値以下である設定または機能を選出する選出手段と、前記選出手段により選出された設定または機能についての説明を表示する表示手段と、を備えたことを特徴とする。
【発明の効果】
【０００７】
本発明に係る電子機器によると、ユーザが気付きにくい設定や機能について、これらの設定や機能を使用するように誘導することにより、ユーザの利便性を向上させることが可能となる。これにより、ユーザは電子機器の備えている設定や機能を余すことなく使用することが可能となる。
【発明を実施するための最良の形態】
【０００８】
〔第１実施形態〕
本発明に係る電子機器の第１実施形態について、図１乃至図５を参照しながら説明する。第１実施形態の電子機器として、複数の筐体が開閉自在に結合されてなるクラムシェル型の携帯電話機１を例に挙げて説明する。
【０００９】
図１（Ａ）は、携帯電話機１の開いた状態を示す正面図、図１（Ｂ）は、本発明に係る携帯電話機１の開いた状態を示す側面図、図２（Ａ）は、携帯電話機１の閉じた状態を示す正面図、図２（Ｂ）は、携帯電話機１の閉じた状態を示す側面図である。
【００１０】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、開いた状態から閉じた状態に、あるいは閉じた状態から開いた状態に変形する。
【００１１】
上筐体１０の内面（下筐体１１に対面する側の面）には、文字や画像等を含んだ表示情報を表示するためのディスプレイ１３が設けられている。ディスプレイ１３は、例えば液晶ディスプレイや有機ＥＬ（Ｅｌｅｃｔｒｏ−Ｌｕｍｉｎｅｓｃｅｎｃｅ）ディスプレイで形成されている。また、上筐体１０の内面には、音声を出力するレシーバ１４が設けられていて、これらのディスプレイ１３やレシーバ１４は、携帯電話機１が閉じた状態のときには、下筐体１１により覆われていて外部に露出していないが、上筐体１０を下筐体１１に対して回転させて開いた状態に変形させたときには外部に露出される。
【００１２】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー、メール機能やＷｅｂ機能を起動するためのショートカットキー等からなる操作キー１５が設けられている。また下筐体１１の内面には、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには外部に露出される。
【００１３】
次に、携帯電話機１の機能について、図３に示す機能ブロック図を用いて説明する。携帯電話機１は、図３に示すように、主制御部２０、電源回路部２１、操作入力制御部２２、表示制御部２３、音声制御部２４、通信制御部２５、及び記憶部２６がバスによって相互に通信可能に接続されて構成されている。
【００１４】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する操作支援処理や、その他の様々な演算処理や制御処理等を行う。電源回路部２１は、例えばユーザによる操作キー１５を介した入力に基づいて電源のＯＮ／ＯＦＦ状態を切り替え、電源がオン状態の場合に電力供給源（バッテリ等）から各部に対して電力を供給して、携帯電話機１を動作可能にする。
【００１５】
操作入力制御部２２は操作キー１５に対する入力インタフェースを備えている。この操作入力制御部２２は、操作キー１５の押下を検出すると、その押下された操作キー１５を示す信号を生成して主制御部２０に伝送する。表示制御部２３はディスプレイ１３に対する表示インタフェースを備え、主制御部２０の制御に基づいて、文書や画像等を含んだ表示情報をディスプレイ１３に表示する。
【００１６】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、レシーバ１４から音声として出力する。
【００１７】
通信制御部２５は、主制御部２０の制御に基づいて、基地局（図示せず）からアンテナ２５ａを介して受信した受信信号をスペクトラム逆拡散処理してデータを復元する。このデータは、主制御部２０の指示により、音声制御部２４に伝送されてレシーバ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５を介して入力されたデータや記憶部２６に記憶されたデータを取得すると、これらのデータに対してスペクトラム拡散処理を行い、基地局に対してアンテナ２５ａを介して送信する。
【００１８】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する操作支援処理を行う際の処理プログラムは、例えばＲＯＭに記憶されているものとする。
【００１９】
また記憶部２６は、各々のアプリケーションプログラムの設定や機能の使用頻度（累積使用時間や累積使用回数）を示す使用時間情報３０を記憶している。使用時間情報３０は、図４に示すように、各々のアプリケーションプログラム、またはアプリケーションプログラムにおける各々の設定や機能を示す識別情報３１に対して、累積使用時間を示す時間情報３２がそれぞれ対応付けられた情報である。
【００２０】
使用時間情報３０において、例えば図４によると、識別情報３１の「携帯電話機全体」に対して、時間情報３２の「５０時間」が対応付けられている。これは、携帯電話機１の全体の累積使用時間が５０時間であることを意味する。また、識別情報３１の「アプリＡ全体」に、時間情報３２の「３時間」が対応付けられている。これは、携帯電話機１におけるアプリＡのアプリケーションプログラムが累積で３時間使用されたことを意味する。
【００２１】
識別情報３１の「設定Ａ−１」に時間情報３２の「１５分」が対応付けられている。これは、携帯電話機１においてアプリＡのアプリケーションプログラムが起動されている際、設定Ａ−１が累積で１５分使用されたことを意味する。また、識別情報３１の「設定Ａ−２」に時間情報３２の「０分」が対応付けられている。これは、携帯電話機１においてアプリＡのアプリケーションプログラムが起動されている際、設定Ａ−２が全く使用されていないことを意味する。さらに、識別情報３１の「設定変更の有無」に時間情報３２の「無」が対応付けられている。これは、設定Ａ−１や設定Ａ−２等において設定が変更されていないことを意味する。
【００２２】
図４に示す使用時間情報３０によると、携帯電話機１において、ユーザにより、アプリＡのアプリケーションプログラムが使用されていて、設定Ａ−１（１５分）や機能Ａ−３（１０分）、Ａ−４（１時間）がある程度使用されているが、設定Ａ−２のみが全く使用されていないことがわかる。これにより、ユーザが設定Ａ−２の使用方法を認識していないことが想定される。よって、携帯電話機１は、アプリＡのアプリケーションプログラムが起動されたタイミングで、あるいはアプリケーションプログラムが終了されたタイミングで、設定Ａ−２の使い方をユーザへ知らせる操作支援処理を行う。
【００２３】
例えば、アプリＡがカメラ撮影に関するアプリケーションプログラムであり、設定Ａ−１がサイズ設定で、設定Ａ−２が撮影モード設定であった場合に、カメラ撮影時にサイズ設定は頻繁に使用されるが、撮影モード設定は全く使用されていない場合等がこの実施形態に該当する。
【００２４】
携帯電話機１が使用時間情報３０に基づいてこの操作支援処理を行う手順について、図５に示すフローチャートに基づいて説明する。ここでは、例えばユーザによりアプリＡのアプリケーションプログラムが起動された場合、あるいは終了された場合について説明する。以下、例えば「ステップＳ１０１」を「Ｓ１０１」のように、「ステップ」の語句を省略して説明する。
【００２５】
例えばユーザは、アプリケーションプログラムを起動する際、あるいは終了する際に、操作キー１５を用いて携帯電話機１にアプリケーションプログラムの起動あるいは終了の指示を出す。主制御部２０は、この指示に基づいて、アプリケーションプログラムを起動したり終了したりする。
【００２６】
始めに主制御部２０は、アプリケーションプログラム（例えばアプリＡ）が起動あるいは終了されたか否かを判断する（Ｓ１０１）。アプリＡが起動あるいは終了されていない場合（Ｓ１０１のＮｏ）は、主制御部２０はそのまま待機する。アプリＡが起動あるいは終了された場合（Ｓ１０１のＹｅｓ）は、主制御部２０は、使用時間情報３０に基づいて、アプリＡの使用時間が所定値（例えば１時間）以上であるか否かを判断する（Ｓ１０３）。例えば図４に示す使用時間情報３０によると、アプリＡ全体の使用時間が３時間であるため、アプリＡの使用時間が所定値以上であるものと判断される。
【００２７】
アプリＡの使用時間が所定値以上であった場合（Ｓ１０３のＹｅｓ）は、主制御部２０は、使用時間情報３０に基づいて、アプリＡに関する設定や機能のうちで、全く使用されていない設定や機能があるか否かを判断する（Ｓ１０５）。例えば図４に示す使用時間情報３０によると、設定Ａ−２の使用時間が０分であるため、全く使用されていない設定や機能があるものと判断される。
【００２８】
全く使用されていない設定や機能があった場合（Ｓ１０５のＹｅｓ）は、主制御部２０は、ステップＳ１０５にて全く使用されていないと判断された設定や機能について紹介する（Ｓ１０７）。例えば図４に示す使用時間情報３０によると、全く使用されていない設定Ａ−２が紹介される。この際、例えばディスプレイ１３に設定方法を示す情報が表示されたり、レシーバ１４を介して音声で設定方法が出力されたりすることで、設定Ａ−２が紹介される。
【００２９】
このようにして携帯電話機１は、アプリケーションプログラムが所定時間以上使用されていて、かつ、このアプリケーションプログラムにおいて全く使用されていない設定や機能があった場合に、ユーザに対してこれらの設定や機能について紹介する。
【００３０】
なお、ステップＳ１０５にて、全く使用されていない設定や機能に限定されず、使用頻度（累積使用時間）が所定値以下の設定や機能があるか否かを判断しても良い。この場合には、ステップＳ１０７にて、使用頻度（累積使用時間）が所定値以下の設定や機能が紹介される。
【００３１】
第１実施形態によると、全く使用されていない設定や機能を知らせることで、これらの設定や機能の誘導を行って、ユーザの利便性を向上させることが可能となる。
【００３２】
〔第２実施形態〕
本発明に係る電子機器の第２実施形態について、図６及び図７を参照しながら説明する。以下、第１実施形態と同一の構成には同一の符号を付し、重複する説明を省略する。第２実施形態の電子機器は、図１及び図２に示すように、第１実施形態の携帯電話機１と同一の構成を備えている。また第２実施形態の電子機器は、第１実施形態の携帯電話機１と同様に、図４に示すように、主制御部２０、電源回路部２１、操作入力制御部２２、表示制御部２３、音声制御部２４、通信制御部２５、及び記憶部２６がバスによって相互に通信可能に接続されて構成されている。
【００３３】
第２実施形態の携帯電話機１の記憶部２６は、第１実施形態と同様に、各々のアプリケーションプログラムの設定や機能の使用時間を示す使用時間情報３０を記憶している。例えば図６に示す使用時間情報３０によると、識別情報３１の「携帯電話機全体」に対して、時間情報３２の「５０時間」が対応付けられている。これは、携帯電話機１の全体の累積使用時間が５０時間であることを意味する。また、識別情報３１の「アプリＡ全体」に、時間情報３２の「３時間」が対応付けられている。これは、携帯電話機１におけるアプリＡのアプリケーションプログラムが累積で３時間使用されたことを意味する。
【００３４】
識別情報３１の「設定Ａ−１」に時間情報３２の「３０分」が対応付けられている。これは、携帯電話機１においてアプリＡのアプリケーションプログラムが起動されている際、設定Ａ−１が累積で３０分使用されたことを意味する。識別情報３１の「設定Ａ−２」に時間情報３２の「０分」が対応付けられている。これは、携帯電話機１においてアプリＡのアプリケーションプログラムが起動されている際、設定Ａ−２が全く使用されていないことを意味する。さらに、識別情報３１の「設定変更の有無」に時間情報３２の「有」が対応付けられている。これは、設定Ａ−１や設定Ａ−２等において設定が変更されたことを意味する。
【００３５】
図６に示す使用時間情報３０によると、携帯電話機１において、ユーザにより、アプリＡのアプリケーションプログラムが使用されていて、設定Ａ−１（３０分）や機能Ａ−３（４０分）がある程度使用されているが、設定Ａ−１や機能Ａ−４が全く使用されていないことがわかる。特定の設定や機能のみが頻繁に使用されていることから、ユーザが設定Ａ−２や機能Ａ−４の使用方法を認識していないことが想定される。よって、携帯電話機１は、アプリＡのアプリケーションプログラムが起動されたタイミングで、あるいはアプリケーションプログラムが終了されたタイミングで、設定Ａ−２や機能Ａ−４の使い方をユーザへ知らせる操作支援処理を行う。
【００３６】
例えば、アプリＡがカメラ撮影に関するアプリケーションプログラムであり、設定Ａ−１がサイズ設定で、設定Ａ−２が撮影モード設定、機能Ａ−３がズーム機能で、機能Ａ−４がタイマー機能であった場合に、カメラ撮影時にサイズ設定やズーム機能は頻繁に使用されるが、撮影モード設定やタイマー機能は全く使用されていない場合等が、この実施形態に該当する。
【００３７】
携帯電話機１が使用時間情報３０に基づいてこの操作支援処理を行う手順について、図７に示すフローチャートに基づいて説明する。ここでは、例えばユーザによりアプリＡのアプリケーションプログラムが起動された場合、あるいは終了された場合について説明する。
【００３８】
始めに主制御部２０は、アプリケーションプログラム（例えばアプリＡ）が起動あるいは終了されたか否かを判断する（Ｓ２０１）。アプリＡが起動あるいは終了されていない場合（Ｓ２０１のＮｏ）は、主制御部２０はそのまま待機する。アプリＡが起動あるいは終了された場合（Ｓ２０１のＹｅｓ）は、主制御部２０は、使用時間情報３０に基づいて、アプリＡの使用時間が所定値（例えば１時間）以上であるか否かを判断する（Ｓ２０３）。例えば図６に示す使用時間情報３０によると、アプリＡ全体の使用時間が３時間であるため、アプリＡの使用時間が所定値以上であるものと判断される。
【００３９】
アプリＡの使用時間が所定値以上であった場合（Ｓ２０３のＹｅｓ）は、主制御部２０は、使用時間情報３０に基づいて、アプリＡに関する設定や機能のうちで、特定の設定や機能の使用時間が所定値（例えば３０分）以上であるか否かを判断する（Ｓ２０５）。例えば図６に示す使用時間情報３０によると、設定Ａ−１の使用時間が３０分、機能Ａ−３の使用時間が４０分であることから、特定の設定や機能の使用時間が所定値以上であるものと判断される。
【００４０】
特定の設定や機能の使用時間が所定値以上であった場合（Ｓ２０５のＹｅｓ）は、主制御部２０は、アプリＡに関する設定や機能のうちで、全く使用されていない設定や機能があるか否かを判断する（Ｓ２０７）。例えば図６に示す使用時間情報３０によると、設定Ａ−２の使用時間、及び機能Ａ−４の使用時間が０分であるため、全く使用されていない設定や機能があるものと判断される。
【００４１】
全く使用されていない設定や機能があった場合（Ｓ２０７のＹｅｓ）は、主制御部２０は、ステップＳ２０７にて全く使用されていないと判断された設定や機能について紹介する（Ｓ２０９）。例えば図６に示す使用時間情報３０によると、全く使用されていない設定Ａ−２、機能Ａ−４が紹介される。この際、例えばディスプレイ１３に設定方法を示す情報が表示されたり、レシーバ１４を介して音声で設定方法が出力されたりすることで、設定Ａ−２、機能Ａ−４について紹介される。
【００４２】
このようにして携帯電話機１は、アプリケーションプログラムが所定時間以上使用されていて、かつ、このアプリケーションプログラムにおける特定の設定や機能が所定時間以上使用されていて、かつ、このアプリケーションプログラムにおいて全く使用されていない設定や機能があった場合に、ユーザに対してこれらの設定や機能について紹介する。
【００４３】
なお、ステップＳ２０７にて、全く使用されていない設定や機能に限定されず、使用頻度（累積使用時間）が所定値以下の設定や機能があるか否かを判断しても良い。この場合には、ステップＳ２０９にて、使用頻度（累積使用時間）が所定値以下の設定や機能が紹介される。
【００４４】
第２実施形態によると、全く使用されていない設定や機能を知らせることで、これらの設定や機能の誘導を行って、ユーザの利便性を向上させることが可能となる。
【００４５】
〔第３実施形態〕
本発明に係る電子機器の第３実施形態について、図８及び図９を参照しながら説明する。以下、第１実施形態と同一の構成には同一の符号を付し、重複する説明を省略する。第３実施形態の電子機器は、図１及び図２に示すように、第１実施形態の携帯電話機１と同一の構成を備えている。また第３実施形態の電子機器は、第１実施形態の携帯電話機１と同様に、図４に示すように、主制御部２０、電源回路部２１、操作入力制御部２２、表示制御部２３、音声制御部２４、通信制御部２５、及び記憶部２６がバスによって相互に通信可能に接続されて構成されている。
【００４６】
第３実施形態の携帯電話機１の記憶部２６は、第１実施形態及び第２実施形態と同様に、各々のアプリケーションプログラムの設定や機能の使用時間を示す使用時間情報３０を記憶している。例えば図８に示す使用時間情報３０によると、識別情報３１の「携帯電話機全体」に対して、時間情報３２の「５０時間」が対応付けられている。これは、携帯電話機１の全体の使用時間が累積で５０時間であることを意味する。また、識別情報３１の「アプリＡ全体」に、時間情報３２の「３時間」が対応付けられている。これは、携帯電話機１におけるアプリＡのアプリケーションプログラムが累積で３時間使用されたことを意味する。
【００４７】
識別情報３１の「設定Ａ−１」に時間情報３２の「１時間」が対応付けられている。これは、携帯電話機１においてアプリＡのアプリケーションプログラムが起動されている際、設定Ａ−１が累積で１時間使用されたことを意味する。識別情報３１の「設定Ａ−２」に時間情報３２の「１時間」が対応付けられている。これは、携帯電話機１においてアプリＡのアプリケーションプログラムが起動されている際、設定Ａ−２が累積で１時間使用されたことを意味する。さらに、識別情報３１の「設定変更の有無」に時間情報３２の「無」が対応付けられている。これは、設定Ａ−１や設定Ａ−２等において設定が変更されていないことを意味する。
【００４８】
図８に示す使用時間情報３０によると、携帯電話機１において、ユーザにより、アプリＡのアプリケーションプログラムが使用されていて、設定Ａ−１（１時間）や設定Ａ−２（１時間）がある程度使用されているが、設定が変更されていないことがわかる。設定が頻繁に使用されているのに、設定が変更されていないことから、ユーザが設定Ａ−１や設定Ａ−２の使用方法を認識していないことが想定される。よって、携帯電話機１は、アプリＡのアプリケーションプログラムが起動されたタイミングで、あるいはアプリケーションプログラムが終了されたタイミングで、設定Ａ−１や設定Ａ−２の使い方をユーザへ知らせる操作支援処理を行う。
【００４９】
例えば、アプリＡがカメラ撮影に関するアプリケーションプログラムであり、設定Ａ−１がサイズ設定で、設定Ａ−２が撮影モード設定であった場合に、カメラ撮影時にサイズ設定や撮影モード設定が使用されてはいるが、設定が完了していない場合等が、この実施形態に該当する。
【００５０】
携帯電話機１が使用時間情報３０に基づいてこの操作支援処理を行う手順について、図９に示すフローチャートに基づいて説明する。ここでは、例えばユーザによりアプリＡのアプリケーションプログラムが起動された場合、あるいは終了された場合について説明する。
【００５１】
始めに主制御部２０は、アプリケーションプログラム（例えばアプリＡ）が起動あるいは終了されたか否かを判断する（Ｓ３０１）。アプリＡが起動あるいは終了されていない場合（Ｓ３０１のＮｏ）は、主制御部２０はそのまま待機する。アプリＡが起動あるいは終了された場合（Ｓ３０１のＹｅｓ）は、主制御部２０は、使用時間情報３０に基づいて、アプリＡの使用時間が所定値（例えば１時間）以上であるか否かを判断する（Ｓ３０３）。例えば図８に示す使用時間情報３０によると、アプリＡ全体の使用時間が３時間であるため、アプリＡの使用時間が所定値以上であるものと判断される。
【００５２】
アプリＡの使用時間が所定値以上であった場合（Ｓ３０３のＹｅｓ）は、主制御部２０は、使用時間情報３０に基づいて、アプリＡに関する設定の使用時間が所定値（例えば３０分）以上であるか否かを判断する（Ｓ３０５）。例えば図８に示す使用時間情報３０によると、設定Ａ−１の使用時間が１時間、設定Ａ−２の使用時間が１時間であることから、アプリＡに関する設定の使用時間が所定値以上であるものと判断される。
【００５３】
アプリＡに関する設定の使用時間が所定値以上であった場合（Ｓ３０５のＹｅｓ）は、主制御部２０は、アプリＡに関する設定が変更されたか否かを判断する（Ｓ３０７）。例えば図８に示す使用時間情報３０によると、設定変更の有無が「無」であるため、アプリＡに関する設定が変更されていないものと判断される。
【００５４】
設定が変更されていない場合（Ｓ３０７のＮｏ）は、主制御部２０は、設定のやり方を紹介する（Ｓ３０９）。例えば図８に示す使用時間情報３０によると、使用時間が所定値以上であるが設定が変更されていない設定Ａ−１、設定Ａ−２の設定方法が紹介される。この際、例えばディスプレイ１３に設定方法を示す情報が表示されたり、レシーバ１４を介して音声で設定方法が出力されたりすることで、設定Ａ−１、設定Ａ−２の設定方法が紹介される。
【００５５】
このようにして携帯電話機１は、アプリケーションプログラムが所定時間以上使用されていて、かつ、このアプリケーションプログラムにおける設定が所定時間以上使用されていて、かつ、このアプリケーションプログラムにおいて設定が全く変更されていない場合に、ユーザに対して設定方法について紹介する。
【００５６】
第３実施形態によると、設定を変更するための機能が使用されているのにも関わらずに設定が変更されていないときに、この設定の誘導を行って、ユーザの利便性を向上させることが可能となる。
【００５７】
〔第４実施形態〕
本発明に係る電子機器の第４実施形態について、図１０及び図１１を参照しながら説明する。以下、第１実施形態と同一の構成には同一の符号を付し、重複する説明を省略する。第３実施形態の電子機器は、図１及び図２に示すように、第１実施形態の携帯電話機１と同一の構成を備えている。また第４実施形態の電子機器は、第１実施形態の携帯電話機１と同様に、図４に示すように、主制御部２０、電源回路部２１、操作入力制御部２２、表示制御部２３、音声制御部２４、通信制御部２５、及び記憶部２６がバスによって相互に通信可能に接続されて構成されている。
【００５８】
第４実施形態の携帯電話機１の記憶部２６は、第１実施形態乃至第３実施形態と同様に、各々のアプリケーションプログラムの設定や機能の使用時間を示す使用時間情報３０を記憶している。例えば図１０に示す使用時間情報３０によると、識別情報３１の「携帯電話機全体」に対して、時間情報３２の「５０時間」が対応付けられている。これは、携帯電話機１の全体の使用時間が累積で５０時間であることを意味する。また、識別情報３１の「アプリＡ全体」に、時間情報３２の「３時間」が対応付けられている。これは、携帯電話機１におけるアプリＡのアプリケーションプログラムが累積で３時間使用されたことを意味する。
【００５９】
識別情報３１の「アプリＢの機能Ｂ−１」に時間情報３２の「１時間」が対応付けられている。これは、携帯電話機１においてアプリＡのアプリケーションプログラムが起動されている際、アプリＡに関連するアプリケーションプログラムであるアプリＢの機能Ｂ−１が累積で１時間使用されたことを意味する。識別情報３１の「アプリＣの機能Ｃ−１」に時間情報３２の「０分」が対応付けられている。これは、携帯電話機１においてアプリＡのアプリケーションプログラムが起動されている際、アプリＡに関連するアプリケーションプログラムであるアプリＣの機能Ｃ−１が全く使用されていないことを意味する。
【００６０】
図１０に示す使用時間情報３０によると、携帯電話機１において、ユーザにより、アプリＡのアプリケーションプログラムが使用されていて、アプリＡに関連するアプリＢの機能Ｂ−１がある程度使用されているが、同じくアプリＡに関連するアプリＣの機能Ｃ−１については全く使用されていないことがわかる。機能Ｂ−１が頻繁に使用されているのに、機能Ｃ−１が全く使用されていないことから、ユーザがアプリＡで機能Ｃ−１が使用できることを認識していないことが想定される。よって、携帯電話機１は、アプリＡのアプリケーションプログラムが起動されたタイミングで、あるいはアプリケーションプログラムが終了されたタイミングで、機能Ｃ−１の使い方をユーザへ知らせる操作支援処理を行う。
【００６１】
例えば、アプリＡがカメラ撮影に関するアプリケーションプログラム、アプリＢがフラッシュに関するアプリケーションプログラム、アプリＣがメールに関するアプリケーションプログラムであり、機能Ｂ−１がフラッシュ機能で、機能Ｃ−１がメール添付機能であった場合に、カメラ撮影時にフラッシュは頻繁に使用されるが、カメラで撮像された画像をメール添付する機能は全く使用されていない場合等が、この実施形態に該当する。
【００６２】
携帯電話機１が使用時間情報３０に基づいてこの操作支援処理を行う手順について、図１１に示すフローチャートに基づいて説明する。ここでは、例えばユーザによりアプリＡのアプリケーションプログラムが起動された場合、あるいは終了された場合について説明する。
【００６３】
始めに主制御部２０は、アプリケーションプログラム（例えばアプリＡ）が起動あるいは終了されたか否かを判断する（Ｓ４０１）。アプリＡが起動あるいは終了されていない場合（Ｓ４０１のＮｏ）は、主制御部２０はそのまま待機する。アプリＡが起動あるいは終了された場合（Ｓ４０１のＹｅｓ）は、主制御部２０は、使用時間情報３０に基づいて、アプリＡの使用時間が所定値（例えば１時間）以上であるか否かを判断する（Ｓ４０３）。例えば図１０に示す使用時間情報３０によると、アプリＡ全体の使用時間が３時間であるため、アプリＡの使用時間が所定値以上であるものと判断される。
【００６４】
アプリＡの使用時間が所定値以上であった場合（Ｓ４０３のＹｅｓ）は、主制御部２０は、使用時間情報３０に基づいて、アプリＡに関連する機能のうち、全く使用されていない機能があるか否かを判断する（Ｓ４０５）。例えば図１０に示す使用時間情報３０によると、アプリＢの機能Ｂ−１の使用時間が１時間、アプリＢの機能Ｃ−１の使用時間が０分であることから、アプリＣの機能Ｃ−１が全く使用されていないものと判断される。
【００６５】
アプリＡに関連する機能のうち、全く使用されていない機能があった場合（Ｓ４０５のＹｅｓ）は、主制御部２０は、機能Ｃ−１の使用方法を紹介する（Ｓ４０７）。例えば図８１０に示す使用時間情報３０によると、全く使用されていない機能である機能Ｃ−１の使用方法が紹介される。この際、例えばディスプレイ１３に設定方法を示す情報が表示されたり、レシーバ１４を介して音声で設定方法が出力されたりすることで、機能Ｃ−１の使用方法が紹介される。
【００６６】
このようにして携帯電話機１は、アプリケーションプログラムが所定時間以上使用されていて、かつ、このアプリケーションプログラムに関連のある他のアプリケーションプログラムにおいて全く使用されていない機能があった場合に、ユーザに対してこの機能について紹介する。
【００６７】
なお、ステップＳ４０５にて、全く使用されていない機能に限定されず、使用頻度（累積使用時間）が所定値以下の設定や機能があるか否かを判断しても良い。この場合には、ステップＳ４０７にて、使用頻度（累積使用時間）が所定値以下の機能が紹介される。
【００６８】
第４実施形態によると、全く使用されていない設定や機能を知らせることで、これらの設定や機能の誘導を行って、ユーザの利便性を向上させることが可能となる。
【００６９】
〔第５実施形態〕
本発明に係る電子機器の第５実施形態について、図１２及び図１３を参照しながら説明する。以下、第１実施形態と同一の構成には同一の符号を付し、重複する説明を省略する。第５実施形態の電子機器は、図１及び図２に示すように、第１実施形態の携帯電話機１と同一の構成を備えている。また第５実施形態の電子機器は、第１実施形態の携帯電話機１と同様に、図４に示すように、主制御部２０、電源回路部２１、操作入力制御部２２、表示制御部２３、音声制御部２４、通信制御部２５、及び記憶部２６がバスによって相互に通信可能に接続されて構成されている。
【００７０】
第５実施形態の携帯電話機１の記憶部２６は、第１実施形態乃至第４実施形態と同様に、各々のアプリケーションプログラムの設定や機能の使用時間を示す使用時間情報３０を記憶している。例えば図１２に示す使用時間情報３０によると、識別情報３１の「携帯電話機全体」に対して、時間情報３２の「５０時間」が対応付けられている。これは、携帯電話機１の全体の使用時間が累積で５０時間であることを意味する。また、識別情報３１の「アプリＡ全体」に、時間情報３２の「３時間」が対応付けられている。これは、携帯電話機１におけるアプリＡのアプリケーションプログラムが累積で３時間使用されたことを意味する。
【００７１】
識別情報３１の「設定Ａ−１」に時間情報３２の「０分」が対応付けられている。これは、携帯電話機１においてアプリＡのアプリケーションプログラムが起動されている際、設定Ａ−１が全く使用されていないことを意味する。識別情報３１の「機能Ａ−１」に時間情報３２の「１時間」が対応付けられている。これは、携帯電話機１においてアプリＡのアプリケーションプログラムが起動されている際、機能Ａ−１が累積で１時間使用されたことを意味する。さらに、識別情報３１の「設定変更の有無」に時間情報３２の「無」が対応付けられている。これは、設定Ａ−１等において設定が変更されていないことを意味する。なお、機能Ａ−１は、設定Ａ−１の設定を機能として行うものであり、例えば音量の設定が設定Ａ−１であった場合に、通話中の機能としての音量を設定する機能が機能Ａ−１である。
【００７２】
図１２に示す使用時間情報３０によると、携帯電話機１において、ユーザにより、アプリＡのアプリケーションプログラムが使用されていて、機能Ａ−１（１時間）がある程度使用されているが、同様の設定である設定Ａ−１が全く使用されていないことがわかる。設定の変更を行っていないのに、同様の機能が頻繁に使用されていることから、ユーザが設定Ａ−１の使用方法を認識していないことが想定される。よって、携帯電話機１は、アプリＡのアプリケーションプログラムが起動されたタイミングで、あるいはアプリケーションプログラムが終了されたタイミングで、設定Ａ−１の使い方をユーザへ知らせる操作支援処理を行う。
【００７３】
例えば、アプリＡが通話に関するアプリケーションプログラムであり、設定Ａ−１が音量設定で、機能Ａ−１が通話中の音量変更機能であった場合に、通話中の音量変更機能は頻繁に使用されるが、非通話時の音量設定は全く使用されていない場合等が、この実施形態に該当する。
【００７４】
携帯電話機１が使用時間情報３０に基づいてこの操作支援処理を行う手順について、図１３に示すフローチャートに基づいて説明する。ここでは、例えばユーザによりアプリＡのアプリケーションプログラムが起動された場合、あるいは終了された場合について説明する。
【００７５】
始めに主制御部２０は、アプリケーションプログラム（例えばアプリＡ）が起動あるいは終了されたか否かを判断する（Ｓ５０１）。アプリＡが起動あるいは終了されていない場合（Ｓ５０１のＮｏ）は、主制御部２０はそのまま待機する。アプリＡが起動あるいは終了された場合（Ｓ５０１のＹｅｓ）は、主制御部２０は、使用時間情報３０に基づいて、アプリＡの使用時間が所定値（例えば１時間）以上であるか否かを判断する（Ｓ５０３）。例えば図１２に示す使用時間情報３０によると、アプリＡ全体の使用時間が３時間であるため、アプリＡの使用時間が所定値以上であるものと判断される。
【００７６】
アプリＡの使用時間が所定値以上であった場合（Ｓ５０３のＹｅｓ）は、主制御部２０は、使用時間情報３０に基づいて、アプリＡの機能Ａ−１の使用時間が所定値（例えば３０分）以上であるか否かを判断する（Ｓ５０５）。例えば図１２に示す使用時間情報３０によると、機能Ａ−１の使用時間が１時間であることから、アプリＡの機能Ａ−１の使用時間が所定値以上であるものと判断される。
【００７７】
アプリＡの機能Ａ−１の使用時間が所定値以上であった場合（Ｓ５０５のＹｅｓ）は、主制御部２０は、ステップＳ５０５にて判断した機能Ａ−１に関連する設定Ａ−１が全く使用されていないか否かを判断する（Ｓ５０７）。例えば図１２に示す使用時間情報３０によると、設定Ａ−１の使用時間が０分であることから、機能Ａ−１に関連する設定Ａ−１が全く使用されていないものと判断される。
【００７８】
機能Ａ−１に関連する設定Ａ−１が全く使用されていない場合（Ｓ５０７のＮｏ）は、主制御部２０は、設定Ａ−１のやり方を紹介する（Ｓ５０９）。例えば図１２に示す使用時間情報３０によると、全く使用されていない設定Ａ−１の設定方法が紹介される。この際、例えばディスプレイ１３に設定方法を示す情報が表示されたり、レシーバ１４を介して音声で設定方法が出力されたりすることで、設定Ａ−１、設定Ａ−２の設定方法が紹介される。
【００７９】
なお、ステップＳ５０７にて、全く使用されていないかの判断に限定されず、使用頻度（累積使用時間）が所定値以下であるかを判断しても良い。この場合には、ステップＳ５０９にて、所定の設定の使用頻度（累積使用時間）が所定値以下であった場合に、この設定の設定方法が紹介される。
【００８０】
このようにして携帯電話機１は、アプリケーションプログラムが所定時間以上使用されていて、かつ、このアプリケーションプログラムにおける特定の機能が所定時間以上使用されていて、かつ、この特定の機能と関連のある設定が全く使用されていなかった場合に、ユーザに対してこの設定方法について紹介する。
【００８１】
第５実施形態によると、全く変更されていない設定を知らせることで、この設定の誘導を行って、ユーザの利便性を向上させることが可能となる。
【００８２】
〔第６実施形態〕
本発明に係る電子機器の第６実施形態について、図１４乃至図１７を参照しながら説明する。以下、第１実施形態と同一の構成には同一の符号を付し、重複する説明を省略する。第６実施形態の電子機器は、図１及び図２に示すように、第１実施形態の携帯電話機１と同一の構成を備えている。また第６実施形態の電子機器は、第１実施形態の携帯電話機１と同様に、図４に示すように、主制御部２０、電源回路部２１、操作入力制御部２２、表示制御部２３、音声制御部２４、通信制御部２５、及び記憶部２６がバスによって相互に通信可能に接続されて構成されている。
【００８３】
第６実施形態の携帯電話機１の記憶部２６は、各々のアプリケーションプログラムの設定や機能の使用頻度を示す使用頻度情報４０を記憶している。使用頻度情報４０は、図１４に示すように、各々のアプリケーションプログラム、またはアプリケーションプログラムの起動ルートを示す識別情報４１に対して、累積使用頻度（累積使用回数）を示す頻度情報４２がそれぞれ対応付けられた情報である。
【００８４】
例えば図１４に示す使用頻度情報４０によると、識別情報４１の「アプリＡ全体」に、頻度情報４２の「２５回」が対応付けられている。これは、携帯電話機１におけるアプリＡのアプリケーションプログラムが累積で２５回使用されたことを意味する。
【００８５】
識別情報４１の「起動ルート１」に頻度情報４２の「２５回」が対応付けられている。これは、携帯電話機１においてアプリＡのアプリケーションプログラムが起動ルート１で累積で２５回起動されていることを意味する。起動ルート１は、例えばＴＶ機能を起動する際に、図１５（Ａ）乃至（Ｃ）に示すように、図１５（Ａ）に示すメニューの表示画面５０、図１５（Ｂ）に示すＴＶメニューの表示画面５０、図１５（Ｃ）に示すＴＶの表示画面５０の順に遷移させながら起動する起動ルートである。
【００８６】
また、識別情報４１の「起動ルート２」に頻度情報４２の「０回」が対応付けられている。これは、携帯電話機１においてアプリＡのアプリケーションプログラムが起動ルート２では全く起動されていないことを意味する。起動ルート２は、例えばＴＶ機能を起動する際に、図１６に示すように、操作キーのショートカットキーから直接、図１６に示すＴＶの表示画面５０を起動する起動ルートである。
【００８７】
図１４に示す使用頻度情報４０によると、携帯電話機１において、ユーザにより、アプリＡのアプリケーションプログラムが起動される際、起動ルート１の起動ルートである程度起動されているが、起動ルート２の起動ルートでは全く起動されていないことがわかる。起動ルート１よりも起動ルート２の方が操作負荷が小さいときには、ユーザが起動ルート２の起動ルートでの起動方法を認識していないことが想定される。よって、携帯電話機１は、アプリＡのアプリケーションプログラムが起動されたタイミングで、あるいはアプリケーションプログラムが終了されたタイミングで、起動ルート２の起動方法をユーザへ知らせる操作支援処理を行う。
【００８８】
携帯電話機１が使用頻度情報４０に基づいてこの操作支援処理を行う手順について、図１７に示すフローチャートに基づいて説明する。ここでは、例えばユーザによりアプリＡのアプリケーションプログラムが起動された場合、あるいは終了された場合について説明する。
【００８９】
始めに主制御部２０は、アプリケーションプログラム（例えばアプリＡ）が起動あるいは終了されたか否かを判断する（Ｓ６０１）。アプリＡが起動あるいは終了されていない場合（Ｓ６０１のＮｏ）は、主制御部２０はそのまま待機する。アプリＡが起動あるいは終了された場合（Ｓ６０１のＹｅｓ）は、主制御部２０は、使用頻度情報４０に基づいて、アプリＡの起動回数が所定値（例えば１０回）以上であるか否かを判断する（Ｓ６０３）。例えば図１４に示す使用頻度情報４０によると、アプリＡ全体の使用回数が２５回であるため、アプリＡの起動回数が所定値以上であるものと判断される。
【００９０】
アプリＡの起動回数が所定値以上であった場合（Ｓ６０３のＹｅｓ）は、主制御部２０は、使用頻度情報４０に基づいて、アプリＡの起動ルート１による起動回数が所定値（例えば１０回）以上であるか否かを判断する（Ｓ６０５）。例えば図１４に示す使用頻度情報４０によると、起動ルート１による起動回数が２５回であることから、アプリＡの起動ルート１による起動回数が所定値以上であるものと判断される。
【００９１】
アプリＡの起動ルート１による起動回数が所定値以上であった場合（Ｓ６０５のＹｅｓ）は、主制御部２０は、アプリＡを起動ルート２により全く起動していないか否かを判断する（Ｓ６０７）。例えば図１４に示す使用頻度情報４０によると、起動ルート２による起動回数が０回であることから、アプリＡを起動ルート２により全く起動していないものと判断される。
【００９２】
アプリＡを起動ルート２により全く起動していない場合（Ｓ６０７のＮｏ）は、主制御部２０は、起動ルート２の起動方法を紹介する（Ｓ６０９）。例えば図１４に示す使用頻度情報４０によると、全く使用されていない起動ルート２による起動方法が紹介される。この際、例えばディスプレイ１３に起動ルート（ショートカット）を設定する方法や別ルートの起動方法を示す情報が表示されたり、レシーバ１４を介して音声で同様の情報が出力されたりすることで、最短の起動ルートによる起動方法が紹介される。
【００９３】
このようにして携帯電話機１は、アプリケーションプログラムが所定回数以上使用されていて、かつ、このアプリケーションプログラムの所定の起動ルートが所定回数以上使用されていて、かつ、この起動ルートよりも短い起動ルートが全く使用されていなかった場合に、ユーザに対してこの短い起動ルートについて紹介する。
【００９４】
なお、ステップＳ６０７にて、起動ルートが全く使用されていないかどうかの判断に限定されず、起動ルートの使用頻度（累積使用回数）が所定値以下であるかどうかを判断しても良い。この場合には、ステップＳ６０９にて、所定の起動ルートの使用頻度（累積使用回数）が所定値以下であった場合、この起動ルートが紹介される。
【００９５】
第６実施形態によると、全く使用されていない設定や機能を知らせることで、これらの設定や機能の誘導を行って、ユーザの利便性を向上させることが可能となる。
【００９６】
なお、第１実施形態乃至第６実施形態において、設定や機能の説明は、その設定や機能を使用するアプリケーションプログラムに適したタイミングで行うと良い。例えば、ユーザが通話処理を行った場合、通話が終わったタイミングで、テレビ電話機能があることを知らせると良い。
【００９７】
また、設定や機能の説明を行うタイミングを、ユーザが設定できるようにしても良い。この際、例えば、アプリケーションプログラムが終了するタイミング、アプリケーションプログラムを起動するタイミング、設定を変更したタイミング、あるいは、ランダムなタイミング等である。
【００９８】
さらに、設定や機能の説明を擬似的に受信メールとして行っても良い。すなわち、設定や機能の説明を示すメールが携帯電話機１のメールボックスに記憶され、ユーザは、メールボックスにおいてからこの受信メールを選択することにより、設定や機能の説明を読むことができる。
【００９９】
本発明の利点は、チュートリアルやウィザードと異なり、ユーザが手動で行うのはなく、電子機器が判断してユーザを誘導するという点にある。よって、通知の方法やタイミング等を工夫することにより、ユーザに押し付けがましい印象を与えずに、設定や機能の誘導することができる。
【０１００】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、デジタルカメラ、ビデオカメラ、携帯オーディオ機器、携帯ビデオ機器等、アプリケーションプログラムを実行する機能を備えた電子機器であれば、任意の電子機器であって良い。
【図面の簡単な説明】
【０１０１】
【図１】（Ａ）は、本発明に係る電子機器（携帯電話機）の開いた状態を示す正面図、（Ｂ）は、本発明に係る電子機器（携帯電話機）の開いた状態を示す側面図。
【図２】（Ａ）は、本発明に係る電子機器（携帯電話機）の閉じた状態を示す正面図、（Ｂ）は、本発明に係る電子機器（携帯電話機）の閉じた状態を示す側面図。
【図３】本発明に係る電子機器（携帯電話機）の機能ブロック図。
【図４】第１実施形態の使用時間情報のデータ構成図。
【図５】第１実施形態の電子機器が操作支援処理を行う際の手順を示すフローチャート。
【図６】第２実施形態の使用時間情報のデータ構成図。
【図７】第２実施形態の電子機器が操作支援処理を行う際の手順を示すフローチャート。
【図８】第３実施形態の使用時間情報のデータ構成図。
【図９】第３実施形態の電子機器が操作支援処理を行う際の手順を示すフローチャート。
【図１０】第４実施形態の使用時間情報のデータ構成図。
【図１１】第４実施形態の電子機器が操作支援処理を行う際の手順を示すフローチャート。
【図１２】第５実施形態の使用時間情報のデータ構成図。
【図１３】第５実施形態の電子機器が操作支援処理を行う際の手順を示すフローチャート。
【図１４】第６実施形態の使用頻度情報のデータ構成図。
【図１５】第６実施形態の電子機器におけるアプリＡの起動ルート１を示す図。
【図１６】第６実施形態の電子機器におけるアプリＡの起動ルート２を示す図。
【図１７】第６実施形態の電子機器が操作支援処理を行う際の手順を示すフローチャート。
【符号の説明】
【０１０２】
１…携帯電話機，１０…上筐体，１１…下筐体，１２…ヒンジ部，１３…ディスプレイ，１４…レシーバ，１５…操作キー，１６…マイクロフォン，２０…主制御部，２１…電源回路部，２２…操作入力制御部，２３…表示制御部，２４…音声制御部，２５…通信制御部，２５ａ…アンテナ，２６…記憶部，３０…使用時間情報，４０…使用頻度情報，５０…表示画面。
【図１】
2009232428.tif 000003
【図２】
2009232428.tif 000004
【図３】
2009232428.tif 000005
【図４】
2009232428.tif 000006
【図５】
2009232428.tif 000007
【図６】
2009232428.tif 000008
【図７】
2009232428.tif 000009
【図８】
2009232428.tif 000010
【図９】
2009232428.tif 000011
【図１０】
2009232428.tif 000012
【図１１】
2009232428.tif 000013
【図１２】
2009232428.tif 000014
【図１３】
2009232428.tif 000015
【図１４】
2009232428.tif 000016
【図１５】
2009232428.tif 000017
【図１６】
2009232428.tif 000018
【図１７】
2009232428.tif 000019